【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
第１の電子制御装置（２２，３２）を有する第１の技術的装置（２０，３０）の、少なくとも１つの動作状態を視覚的に表示するための、少なくとも１つの第１の点灯素子を備える少なくとも１つの第１の点灯ユニット（２）を有する第１の警告ランプ（１，８）と、
少なくとも前記第１の警告ランプの、少なくとも１つの動作状態を視覚的に表示するための少なくとも１つの表示装置（８，１０）と、
を備えた警告灯装置であって、
少なくとも、前記第１の警告ランプ（１，８）と前記表示装置（８，１０）との間で、データおよび／または制御信号を伝送するための少なくとも１つの電子警告ランプ接続手段（６，９，１１，１３）が設けられ、
前記表示装置（８，１０）は、少なくとも１つの第２の点灯素子を備える少なくとも１つの交換モジュール（２）を有する、シグナルコラム（８）として構成されている
ことを特徴とする警告灯装置。
【請求項２】
請求項１に記載の警告灯装置であって、
前記第１の警告ランプ（１，８）は、前記第１の技術的装置（２０，３０）の複数の異なる動作状態を視覚的に表示するために設けられていること
を特徴とする警告灯装置。
【請求項３】
請求項１または２に記載の警告灯装置であって、
前記表示装置（８，１０）は、前記第１の警告ランプ（１，８）の複数の異なる動作状態を視覚的に表示するために設けられていること
を特徴とする警告灯装置。
【請求項４】
請求項１〜３のうちのいずれか１項に記載の警告灯装置であって、
前記第１の点灯ユニット（２）は、交換モジュールであること
を特徴とする警告灯装置。
【請求項５】
請求項１〜４のうちのいずれか１項に記載の警告灯装置であって、
第２の技術的装置（２０，３０）の、少なくとも１つの動作状態を視覚的に表示するための、少なくとも１つの第２の点灯素子を備える少なくとも１つの第２の点灯ユニット（２）を有する、少なくとも１つの第２の警告ランプ（１，８）が設けられ、
前記表示装置（８）は、少なくとも前記第１および第２の警告ランプ（１，８）の、少なくとも１つの動作状態を視覚的に表示するように構成されていること
を特徴とする警告灯装置。
【請求項６】
請求項５に記載の警告灯装置であって、
前記第２の警告ランプ（１，８）は、前記第２の技術的装置（２０，３０）の複数の異なる動作状態を視覚的に表示するために設けられていること
を特徴とする警告灯装置。
【請求項７】
請求項５または６に記載の警告灯装置であって、
前記表示装置（８）は、少なくとも前記第１および第２の警告ランプ（１，８）の、複数の異なる動作状態を視覚的に表示するように構成されていること
を特徴とする警告灯装置。
【請求項８】
請求項５〜７のうちのいずれか１項に記載の警告灯装置であって、
第３の技術的装置（２０，３０）の、少なくとも１つの動作状態を視覚的に表示するための、少なくとも１つの第３の点灯素子を備える少なくとも１つの第３の点灯ユニットを有する、第３の警告ランプ（１，８）が設けられ、
前記表示装置（８）は、少なくとも前記第１、第２、および第３の警告ランプ（１，８）の、少なくとも１つの動作状態を視覚的に表示するように構成されていること
を特徴とする警告灯装置。
【請求項９】
請求項８に記載の警告灯装置であって、
前記第３の警告ランプ（１，８）は、前記第３の技術的装置（２０，３０）の複数の異なる動作状態を視覚的に表示するために設けられていること
を特徴とする警告灯装置。
【請求項１０】
請求項８または９に記載の警告灯装置であって、
前記表示装置（８）は、少なくとも前記第１、第２、および第３の警告ランプ（１，８）の複数の異なる動作状態を視覚的に表示するように構成されていること
を特徴とする警告灯装置。
【請求項１１】
請求項１〜１０のうちのいずれか１項に記載の警告灯装置であって、
前記シグナルコラム（８）は、少なくとも１つのモジュール点灯素子をそれぞれ備える、複数の交換モジュール（２，１２）を有すること
を特徴とする警告灯装置。
【請求項１２】
請求項１〜１１のうちのいずれか１項に記載の警告灯装置であって、
前記シグナルコラム（８）の交換モジュール（２）の数は、警告ランプ（１）の数に対応すること
を特徴とする警告灯装置。
【請求項１３】
請求項８〜１０のうちのいずれか１項に記載の警告灯装置であって、
前記シグナルコラム（１，８）の点灯素子を包含する交換モジュール（２）の数は、前記第１の警告ランプ（１，８）、および／または、前記第２の警告ランプ（１，８）、および／または、前記第３の警告ランプ（１，８）の点灯ユニット（２）の数に対応すること
を特徴とする警告灯装置。
【請求項１４】
請求項１〜１３のうちのいずれか１項に記載の警告灯装置であって、
監視対象である前記技術的装置（２０，３０）の少なくとも１つが、少なくとも１つの電子制御装置（２２，３２）を有すること
を特徴とする警告灯装置。
【請求項１５】
請求項１〜１４のうちのいずれか１項に記載の警告灯装置であって、
前記電子警告ランプ接続手段（６，９，１１，１３）は、監視対象である前記技術的装置（２０，３０）の電子制御装置とは別個に構成されていること
を特徴とする警告灯装置。
【請求項１６】
請求項１〜１５のうちのいずれか１項に記載の警告灯装置であって、
監視対象である技術的装置（２０，３０）間でデータおよび／もしくは制御信号を伝送するための少なくとも１つの電子機器接続手段（３１）が設けられていること
を特徴とする警告灯装置。
【請求項１７】
請求項１６に記載の警告灯装置であって、
前記電子警告ランプ接続手段（６，９，１１，１３）は、前記電子機器接続手段（３１）とは別個に構成されていること
を特徴とする警告灯装置。
【請求項１８】
請求項１〜１７のうちのいずれか１項に記載の警告灯装置であって、
前記電子警告ランプ接続手段（６，９，１１，１３）は、無線による制御信号および／もしくはデータの伝送のための少なくとも１つの送信機（１１）ならびに／または受信機（１１）を備えること
を特徴とする警告灯装置。
【請求項１９】
請求項１〜１８のうちのいずれか１項に記載の警告灯装置であって、
前記警告ランプ（１）のそれぞれ、ならびに／または、前記点灯ユニット（２）のそれぞれ、ならびに／または、前記シグナルコラム（１，８）のそれぞれ、ならびに／または、前記交換モジュール（２）のそれぞれには、少なくとも１つのアドレスおよび／もしくは１つのコードが割り当てられること
を特徴とする警告灯装置。
【請求項２０】
請求項１〜１９のうちのいずれか１項に記載の警告灯装置であって、
前記警告ランプ（１，８）のうちの少なくとも１つ、および／または、前記点灯ユニットのうちの少なくとも１つ、および／または、前記シグナルコラムのうちの少なくとも１つ、および／または、前記交換モジュール（２，１２）のうちの少なくとも１つの前記動作状態を記憶するために、少なくとも１つの電気的データメモリが設けられていること
を特徴とする警告灯装置。
【請求項２１】
請求項１〜２０のうちのいずれか１項に記載の警告灯装置であって、
前記警告ランプのうちの少なくとも１つ、および／または、前記点灯ユニットのうちの少なくとも１つ、および／または、前記シグナルコラムのうちの少なくとも１つ、および／または、前記交換モジュール（２，１２）のうちの少なくとも１つの前記動作状態を視覚的に表示するために、少なくとも１つのディスプレイ装置（１０）が設けられていること
を特徴とする警告灯装置。